(57)【特許請求の範囲】
【請求項１】
可撓性を有する基板と、
前記基板に配列された複数の発光素子を有し、映像信号に応じた画像を表示する表示部と、
前記基板の表面又は裏面に設けられ、前記基板の湾曲状態を検知する変位センサと、
前記変位センサにより前記基板の湾曲が検知された場合に、前記表示部に表示される画像を所定時間内に所定方向に移動する画素ズラシを制御する画素ズラシ制御部と、
前記変位センサの出力と画素ズラシ量との関係を規定したルックアップテーブルに基づいて画素ズラシ量を演算する画素ズラシ量演算部を備え、
前記画素ズラシ制御部は、前記画素ズラシ量に基づいて前記画素ズラシを制御する、表示装置。
【請求項２】
前記画素ズラシ制御部は、前記変位センサにより前記基板の湾曲が検知された場合に、湾曲部位において前記画素ズラシを実行する、請求項１に記載の表示装置。
【請求項３】
前記画素ズラシ制御部は、前記基板の湾曲量に応じて前記画素ズラシを制御する、請求項１に記載の表示装置。
【請求項４】
前記画素ズラシ制御部は、湾曲している前記基板が平面の状態に復帰したことが検知された場合は、前記画素ズラシによる画像の移動量を０に戻す、請求項１に記載の表示装置。
【請求項５】
前記画素ズラシ量演算部は、前記変位センサの出力値が所定のしきい値以下の場合は前記画素ズラシ量を０とする、請求項１に記載の表示装置。
【請求項６】
前記画素ズラシ量演算部は、前記基板が湾曲する場合と、湾曲した前記基板が平面に復帰する場合とで、異なるルックアップテーブルに基づいて前記画素ズラシ量を演算する、請求項１に記載の表示装置。
【請求項７】
前記変位センサは、ＩＴＯ又はＩＺＯからなる一対の透明電極を有し、前記一対の透明電極間の抵抗値の変化に基づいて、前記基板の湾曲状態を検知する、請求項１に記載の表示装置。
【請求項８】
映像信号に応じた画像を表示する表示部が設けられた、可撓性を有する基板の湾曲状態を検知するステップと、
前記基板の湾曲が検知された場合に、前記表示部に表示される画像を所定時間内に所定方向に移動する画素ズラシを制御するステップと、
前記基板の湾曲量に相当する値と画素ズラシ量との関係を規定したルックアップテーブルに基づいて画素ズラシ量を演算するステップを備え、
前記画素ズラシを制御するステップにおいて、前記画素ズラシ量に基づいて前記画素ズラシを制御する、表示装置の制御方法。
【請求項９】
前記画素ズラシを制御するステップにおいて、前記基板の湾曲が検知された場合に、湾曲部位において前記画素ズラシを実行する、請求項８に記載の表示装置の制御方法。
【請求項１０】
前記画素ズラシを制御するステップにおいて、前記基板の湾曲量に応じて前記画素ズラシを制御する、請求項８に記載の表示装置の制御方法。
【請求項１１】
湾曲している前記基板が平面の状態に復帰したことが検知された場合に前記画素ズラシによる画像のずらし量を０に戻すステップを更に備える、請求項８に記載の表示装置の制御方法。
【請求項１２】
前記画素ズラシ量を演算するステップにおいて、前記基板が湾曲する場合と、湾曲した前記基板が平面に復帰する場合とで、異なるルックアップテーブルに基づいて前記画素ズラシ量を演算する、請求項８に記載の表示装置の制御方法。
【請求項１３】
前記基板の湾曲状態を検知するステップにおいて、前記基板の表面又は裏面に設けられた変位センサの出力値に基づいて前記基板の湾曲状態を検知し、前記変位センサの出力値が所定のしきい値以下の場合は前記画素ズラシを行わない、請求項８に記載の表示装置の制御方法。
【発明の詳細な説明】
【技術分野】
【０００１】
本発明は、表示装置及び表示装置の制御方法に関する。
【背景技術】
【０００２】
近時においては、表示装置における表示素子の信頼性を確保することは非常に重要な課題となっている。特に、構造的なメカニカルな信頼性や表示性能に関する信頼性の確保は、従来と変わらず必要不可欠な項目である。
【０００３】
例えば下記の特許文献１には、電流量の温度上昇による素子の寿命劣化を抑制するために、映像データなどのデバイスの表示状態を判断できるデータから画像の状況を判断し、過電流を抑制するように点灯する水平走査線を制御する手法が提案されている。
【０００４】
また、下記の特許文献２には、表示装置に対する微小な応力による変形を、入射する光の偏光状態の変化として、偏光検出手段の光検出器によって、定量的に変化量を検出することで、屈折率などの光学特性制御を行うものが記載されている。
【先行技術文献】
【特許文献】
【０００５】
【特許文献１】特開２００５−１７３１９３号公報
【特許文献２】特開２００７−２４０６１７号公報
【発明の概要】
【発明が解決しようとする課題】
【０００６】
しかしながら、特許文献１に記載された手法は、ゲート信号とソース信号の両方を組み合わせた複雑な制御であり、かつ、点灯期間を制御するなど、多様なフィードバック制御を必要とし、多くのアルゴリズムを必要とするため、信頼性確保のために製造コストが増大するという問題がある。また、複雑なアルゴリズム制御は、ドライバーＩＣの消費電力増大にもつながり、電力性能の低下も発生する。
【０００７】
また、特許文献２に記載された手法では、他の光源、たとえば太陽光や、室内の蛍光灯など、比較的強い外光に対する光散乱や外光反射によるノイズなどをすると、変形による微小な屈折率の検出は困難である。
【０００８】
そこで、本発明は、上記問題に鑑みてなされたものであり、本発明の目的とするところは、可撓性を有する表示装置における表示機能の劣化を確実に抑えることが可能な、新規かつ改良された表示装置及び表示装置の制御方法を提供することにある。
【課題を解決するための手段】
【０００９】
上記課題を解決するために、本発明のある観点によれば、可撓性を有する基板と、前記基板に配列された複数の発光素子を有し、映像信号に応じた画像を表示する表示部と、前記基板の表面又は裏面に設けられ、前記基板の湾曲状態を検知する変位センサと、前記変位センサにより前記基板の湾曲が検知された場合に、前記表示部に表示される画像の画素ズラシを制御する画素ズラシ制御部と、を備える、表示装置が提供される。
【００１０】
また、前記画素ズラシ制御部は、前記変位センサにより前記基板の湾曲が検知された場合に、湾曲部位において前記画素ズラシを実行するものであってもよい。
【００１１】
また、前記画素ズラシ制御部は、前記基板の湾曲量に応じて前記画素ズラシを制御するものであってもよい。
【００１２】
また、前記画素ズラシ制御部は、湾曲している前記基板が平面の状態に復帰したことが検知された場合は、前記画素ズラシによる画像の移動量を０に戻すものであってもよい。
【００１３】
また、前記変位センサの出力と画素ズラシ量との関係を規定したルックアップテーブルに基づいて画素ズラシ量を演算する画素ズラシ量演算部を備え、前記画素ズラシ制御部は、前記画素ズラシ量に基づいて前記画素ズラシを制御するものであってもよい。
【００１４】
また、前記画素ズラシ量演算部は、前記変位センサの出力値が所定のしきい値以下の場合は前記画素ズラシ量を０とするものであってもよい。
【００１５】
また、前記画素ズラシ量演算部は、前記基板が湾曲する場合と、湾曲した前記基板が平面に復帰する場合とで、異なるルックアップテーブルに基づいて前記画素ズラシ量を演算するものであってもよい。
【００１６】
また、前記変位センサは、ＩＴＯ又はＩＺＯからなる一対の透明電極を有し、前記一対の透明電極間の抵抗値の変化に基づいて、前記基板の湾曲状態を検知するものであってもよい。
【００１７】
また、上記課題を解決するために、本発明の別の観点によれば、映像信号に応じた画像を表示する表示部が設けられた、可撓性を有する基板の湾曲状態を検知するステップと、前記基板の湾曲が検知された場合に、前記表示部に表示される画像の画素ズラシを制御するステップと、を備える、表示装置の制御方法が提供される。
【００１８】
また、前記画素ズラシを制御するステップにおいて、前記基板の湾曲が検知された場合に、湾曲部位において前記画素ズラシを実行するものであってもよい。
【００１９】
また、前記画素ズラシを制御するステップにおいて、前記基板の湾曲量に応じて前記画素ズラシを制御するものであってもよい。
【００２０】
また、湾曲している前記基板が平面の状態に復帰したことが検知された場合に前記画素ズラシによる画像のずらし量を０に戻すステップを更に備えるものであってもよい。
【００２１】
また、前記基板の湾曲量に相当する値と画素ズラシ量との関係を規定したルックアップテーブルに基づいて画素ズラシ量を演算するステップを備え、前記画素ズラシを制御するステップにおいて、前記画素ズラシ量に基づいて前記画素ズラシを制御するものであってもよい。
【００２２】
また、前記画素ズラシ量を演算するステップにおいて、前記基板が湾曲する場合と、湾曲した前記基板が平面に復帰する場合とで、異なるルックアップテーブルに基づいて前記画素ズラシ量を演算するものであってもよい。
【００２３】
また、前記基板の湾曲状態を検知するステップにおいて、前記基板の表面又は裏面に設けられた変位センサの出力値に基づいて前記基板の湾曲状態を検知し、前記変位センサの出力値が所定のしきい値以下の場合は前記画素ズラシを行わないものであってもよい。
【発明の効果】
【００２４】
本発明によれば、可撓性を有する表示装置における表示機能の劣化を確実に抑えることが可能となる。
【図面の簡単な説明】
【００２５】
【図１】本発明の一実施形態に係る表示装置の表側の面を示す平面図である。
【図２】表示装置の断面を示す模式図である。
【図３】変位センサを表示部の裏面側に設けた例を示す図であって、表示装置の裏面を示す平面図である。
【図４】変位センサを表示部の裏面側に設けた例を示す図であって、表示装置の断面を示す模式図である。
【図５】表示装置が湾曲した状態を示す図であって、表示部が設けられた表側の面が凹面となるように湾曲した状態を示す模式図である。
【図６】表示部が設けられた面が凸面となるように湾曲した状態を示す模式図である。
【図７】本実施形態に係る表示装置の機能構成を示すブロック図である。
【図８】抵抗変化量に応じた画素ズラシ量を規定するＬＵＴの一例を示す模式図である。
【図９】画素ズラシ量を規定するＬＵＴの他の例を示す模式図である。
【図１０】画素ズラシの概念を示す模式図である。
【図１１】表示装置の断面を示す図であって、変位センサを表示装置の表裏面に設けた構成例を示す模式図である。
【図１２】図１１に示す表示装置が湾曲した状態を示す模式図である。
【図１３】ルックアップテーブルの他の例を示す模式図である。
【発明を実施するための形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
なお、説明は以下の順序で行うものとする。
１．表示装置の構成例
２．表示装置の機能ブロック構成
３．画素ズラシ量の演算について
４．変位センサを表裏面に設けた構成例
５．ルックアップテーブルの他の例
【００２８】
［１．表示装置の構成例］
まず、図１及び図２を参照して、本発明の一実施形態に係る表示装置１００の概略構成について説明する。図１は、表示装置１００の表側の面を示す平面図である。表示装置１００は、後述する半導体層によって構成された、複数の画素がマトリクス状に配列されてなる表示部１１０を備える。表示部１１０は、映像信号に応じて各画素を発光させることにより、静止画や動画などの画像を表示する。
【００２９】
本実施形態では、フレキシブルな特徴をもち合せたゆえに、湾曲作動が自由となりうると当時に湾曲時に呼応して曲がり具合量に対して、固定表示部は、その変位検出量に応じて、表示装置の固定表示画像において、画素ずらしを行うことで、固定表示による焼付きを抑制し、表示信頼性を確保する。
【００３０】
図２は、表示装置１００の断面を示す模式図である。図２に示すように、本実施形態においては、第１基板１０２、第２基板１０４、及び変位センサ１０６が積層されて、数十μｍ程度の厚さの極めて薄い表示装置１００が構成される。第１基板１０２は、フレキシブルな基板、たとえば樹脂製のプラスチック基板上に、各画素を構成する表示素子（発光素子）が形成されて構成されたものであり、表示素子は低温プロセスで形成可能な有機半導体あるいは無機半導体の素子を用いることができる。本実施形態では、第１基板１０２には、表示素子として有機ＥＬ（Organic  Electro-Luminescence）素子が形成されるものとする。
【００３１】
第２基板１０４は、やはり樹脂性のプラスチック基板からなり、有機半導体あるいは無機半導体からなる表示素子を備える第１基板１０２に対して対向して配置され、表示素子を封止する封止基板としての機能を有する。このように、本実施形態では、第１基板１０２及び第２基板１０４の２種の基板によって半導体層が挟持されることで表示装置１００が構成される。画像が表示される表示部１１０は、第２基板１０４側の面となる。そして、このような構成により、表示装置１００は、数十μｍ程度の厚さで構成され、可撓性を有し、画像を表示した状態で自由に湾曲することができる。
【００３２】
図１及び図２に示すように、第２基板１０４の表面には、透明な電極体、たとえば、ＩＴＯ膜、ＩＺＯ膜などからなる変位センサ１０６が配列されている。変位センサ１０６は、例えば表示部１１０と同じ領域に形成されている。変位センサ１０６は透明な電極体からなり、第１基板１０２の表示素子に各々対向して配列されている。
【００３３】
変位センサ１０６は、例えば既存のタッチパネルの電極と同様に構成され、ＩＴＯ、ＩＺＯ等の透明電極からなる２枚の金属薄膜（抵抗膜）が対向して配置され、この１対の金属薄膜が平面領域において例えばマトリクス状に複数配置されている。変位センサ１０６の対向する透明電極は抵抗を有し、一方の電極には所定の電圧が印加され、電極間の抵抗値がモニタされている。このような構成において、表示装置１００が湾曲すると、湾曲した位置で２枚の金属薄膜間の抵抗値が変化し、他方の電極には湾曲に応じた電圧が発生するため、抵抗値の変化を検出することができる。従って、マトリクス状に配置された複数の１対の金属薄膜のうち、抵抗値が変化した金属薄膜を検知することで、変位センサ１０６のどの位置が変位したかを検知することができ、表示部１１０がどの位置で折り曲げられたかを検知できる。また、抵抗値の変化は、表示装置１００の曲がり量が大きくなるほど増大する。このようにして、表示装置１００は、変位センサ１０６にて検出された抵抗変化量を検出し、表示装置１００の曲がり位置、および曲がり量を検出することができる。
【００３４】
図３及び図４は、変位センサ１０６を表示部１１０の裏面側に設けた例を示す模式図である。ここで、図３は表示装置１００の裏面の平面図を示しており、図４は表示装置１００の断面図を示している。図３及び図４に示す構成において、第１基板１０２と第２基板１０４の構成は、図１及び図２の表示装置１００と同様である。この構成例では、図４に示すように、変位センサ１０６は、第１基板１０２の裏面に設けられている。変位センサ１０６を表示部１１０の裏面に設けた場合も、表示部１１０の表面に設けた場合と同様に、抵抗値の変化に応じて表示装置１００の湾曲量、湾曲位置を検出することができる。
【００３５】
ところで、有機ＥＬなどの自発光型の表示素子を用いた表示装置の場合、固定画像を長時間表示すると、いわゆる焼き付きの現象が生じることが知られている。焼き付きの現象は、例えば映像に輝度差がある表示領域において、使用経過に応じて発光材質の劣化の程度に差が生じることによって発生する。実際の表示においては、各表示セルに対応する、発光材質の発光累積時間は均一とはならないため、これまでに表示させてきた画像に応じてばらつきが生じることになる。これにより、表示セル間での発光材質の劣化の度合いにバラツキが生じ、焼き付きの現象が生じることになる。焼き付きの現象は、映像に輝度差がある場合に、その映像が継続して表示される固定画像表示の場合により発生し易くなることが知られている。
【００３６】
このような焼き付きの現象に鑑みて、本実施形態では、変位センサ１０６で検出された抵抗値の抵抗変化量の検出値に応じて、第１基板１０２にて構成される有機半導体あるいは無機半導体からなる表示素子への出力制御を呼応させて、抵抗変化量から求まる表示部１１０の湾曲時の変位量（曲がり量）に基づいて、表示部１１０の表示画素について所定量の画素ズラシを行う。これにより、本実施形態では、同じ表示が行われることにより表示部１１０に発生する焼き付き現象を制御し、表示部１１０の信頼性を確保するようにしている。
【００３７】
図５は、表示装置１００が湾曲した状態を示す模式図であって、表示部１１０が設けられた表側の面が凹面となるように湾曲した状態を示している。また、図６は、表示部１１０が設けられた面が凸面となるように湾曲した状態を示している。
【００３８】
図５及び図６に示すように、表示装置１００が湾曲した状態では、湾曲によって表示部１１０の視認性が低下するため、通常と同じ画像の表示状態を維持する必要性は低くなる。例えば、図５のように、表示画面が凹面となるように湾曲した場合は、表示画面上の画像も湾曲する。また、表面の乱反射等の影響により、平面の場合と比較すると画質も低下する。このため、画素ズラシを行った場合であっても、ユーザに与える違和感を抑えることができる。特に、図５のように、表示部１１０の表示画面が１８０°程度の角度で屈曲した場合は、外側から表示部１１０の画像が視認できない領域が生じるため、画素ズラシがユーザに視認されることがなくなる。同様に、図６のように、表示部１１０の表示画面が凸面となるように湾曲した場合、表示画面上の画像も湾曲し、画質も低下することから、画素ズラシを行った場合であっても、ユーザに与える違和感を抑えることができる。このように、本実施形態では、表示部１１０が湾曲した場合に、固定画像表示を維持する必要性が薄くなることに鑑みて、画素ずらしを行う。これにより、ユーザに違和感を与えることなく、表示装置１００としての表示品質の信頼性を確保することが可能である。
【００３９】
画素ズラシは、マトリクス状に配置された複数の変位センサ１０６のうち、抵抗変化が検知された湾曲部に相当する領域において行う。これにより、湾曲が生じていない領域では、画素ズラシが行われないため、画像の視認性を高レベルに維持することができる。また、表示部１１０の湾曲量が大きくなるほど、表示画面上の画像の湾曲量が大きくなるため、画素ずらしの影響がより視認されにくくなる。このため、本実施形態では、表示装置１００の曲がり量に対してある一定の対応した画素数分だけ、曲がり具合量に連動して画素ズラシを行うこととしている。また、表示部１１０の湾曲状態が元の平面に戻った場合は、これに応じて画素ずらし量を元の状態に戻し、画素ずらし量を０とする。なお、湾曲しない通常の表示装置では、焼き付き防止のための画素ズラシ制御がユーザに視認されることで、ユーザは違和感を覚える。しかし、本実施形態では、湾曲している最中に焼き付き防止のための画素ズラシ制御を行うため、画素ズラシ制御を行ってもユーザは画素ズラシを認識することができず、ユーザが違和感を覚えることがない。従って、ユーザに画素ズラシ制御を認識させることなく、表示装置の信頼性を確保することが可能となる。
【００４０】
［２．表示装置の機能ブロック構成］
以下に具体的な制御手法について説明する。図７は、本実施形態に係る表示装置１００の機能構成を示すブロック図である。図７に示す機能ブロックは、センサ、回路などのハードウェア、または中央演算処理装置（ＣＰＵ）とこれを機能させるためのソフトウェア（プログラム）によって構成されることができる。図７に示すように、表示装置１００は、抵抗検出部１２０、抵抗比較部１２２、画素ズラシ演算部１２４、画素ズラシ制御部１２６を備える。抵抗検出部１２０は、上述した変位センサ１０６に対応するものであり、抵抗検出部１０６は、湾曲量に対応するアナログ値として抵抗値を検出する。抵抗検出部１２０にて検出された抵抗値は、抵抗比較部１２２にて変化量が検出される。ここで、抵抗比較部１２２は、表示装置１００が湾曲していない平面の状態での基準抵抗値と、抵抗検出部１２０にて検出された抵抗値を比較することにより変化量を検出する。
【００４１】
抵抗比較部１２２は、抵抗変化量が検出された場合は、その変化量を画素ズラシ演算部１２４へ出力する。また、抵抗比較部１２２は、抵抗変化量が検出された場合は、その変位センサ１０６の位置情報を画素ズラシ制御部１２６へ入力する。抵抗変化量が検出されなかった場合、すなわち、抵抗検出部１２０にて検出された抵抗値と基準抵抗値との間に差がない場合は、表示装置１００が湾曲していないため、抵抗変化量は画素ズラシ演算部１２４には出力されない。画素ズラシ演算部１２４では、入力された変化量に応じて、表示部１２０の画素ズラシ量を決定する。画素ズラシ演算部１２４にて決定された画素ズラシ量は、画素ズラシ量制御部１２６へ出力され、画素ズラシ量制御部１２６により表示部１２０における画素ズラシが制御される。画素ズラシ量制御部１２６では、マトリクス状に配置された複数の変位センサ１０６のうち、抵抗変化が検知された湾曲部に相当する領域において画素ズラシを行う。このため、画素ズラシ制御部１２６は、抵抗比較部１２２から入力された、抵抗変化が生じた変位センサ１０６の位置情報に基づいて、湾曲部に相当する領域において画素ズラシを行う。
【００４２】
［３．画素ズラシ量の演算について］
画素ズラシ演算部１２４においては、抵抗変化量に応じて制御すべき画素ズラシ量が予めルックアップテーブル（ＬＵＴ）として格納されている。図８は、抵抗変化量に応じた画素ズラシ量を規定するＬＵＴの一例を示す模式図である。このように、本実施形態では、予め格納された線形データを用いて、画素ズラシ制御を行うものとする。図８に示すように、抵抗変化量が少ない場合は、画素ズラシ量の値が小さく設定される。そして、抵抗変化量が大きくなる程、例えば画素ズラシ量は指数関数的に大きくなるように設定される。これにより、表示部１１０の曲がりが少ない場合は、画素ズラシ量を小さくすることで表示性能を高く維持することができる。表示部１１０の湾曲量が少ない場合は、画素ズラシが認識され易くなるため、画素ズラシ量を小さくすることで、画素ズラシがユーザに認識されることを抑止できる。
【００４３】
また、図９は、画素ズラシ量を規定するＬＵＴの他の例を示す模式図である。図９に示す例では、変位センサ１０６により検出された電圧値（抵抗値に相当する値）と画素ズラシ量との関係を規定している。変位センサ１０６の一方の透明電極に所定の電圧を印加した場合に、表示装置１００が湾曲していない状態での他方の電極の電圧値を基準電圧とすると、湾曲量が大きくなるほど、変位センサ１０６の他方の電極の基準電圧に対する電圧値は増加する。従って、変位センサ１０６の他方の電極の基準電圧に対する電圧値を図９のＬＵＴに当てはめることで、画素ズラシ量を求めることができる。
【００４４】
例えば、変位センサ１０６のある任意のポイント（位置）において、変位センサ１０６の透明電極の電圧検出値が、湾曲していない時の基準電圧に対して、抵抗比較部１２０にておいて０．２Ｖの差分が検出されたものとする。この場合、画素ズラシ演算部１２４にて、差分検出量に応じて画素ズラシ量が演算され、図９の例では画素ズラシ量が４画素とされる。そして、画素ズラシ制御部１２６にて、画素ズラシをある一定期間で上下左右に実行する。画素ズラシを行うことによって、映像に輝度差がある場合に、その映像が継続して表示されることが回避されるため、焼き付きの発生を抑えることができる。このように、本実施形態では、表示装置１００の湾曲に応じて発生する抵抗値の差分に応じて画素ズラシを行うことで、焼付きを抑制することができる。
【００４５】
図８に示すように、抵抗変化量が小さい所定の範囲では、画素ズラシ量は０とされ、抵抗変化量がある所定のしきい値Ｔｈを超えた場合に画素ズラシを行うようにルックアップテーブルが規定される。このように、画素ズラシが実際に行うまでの間に不感帯を設けることにより、表示装置１００が微小に湾曲した場合は、画素ズラシが行わないようにすることができる。これにより、表示装置１００の微小変形では画素ズラシが行われないため、ユーザに違和感が生じてしまうことを抑止できる。
【００４６】
図１０は、画素ズラシの概念を示す模式図であって、表示装置１００の湾曲部において画素ズラシが行われる様子を示している。図１０に示すように、抵抗値変化により表示部１１０の湾曲が検知されると、湾曲部に表示されていた固定画像表示パターンが所定時間内に所定画素分だけ上下左右（図１０中の矢印方向）に移動される。または、所定画素の範囲で時計回りに（又は反時計周り）固定表示パターンが回転するように周期的に画素ズラシを行うことができる。画素ズラシ制御部１２６による画素ズラシの制御は、特に限定されるものではなく、公知の一般的な手法により行うことができる。例えば、画像の表示タイミングを所定数のクロックだけずらし、画素単位でデータ読出しのタイミングをずらすことにより、画素ズラシを行うようにすることができる。更に詳しくは、湾曲部に表示されていた固定画像表示パターンが所定時間内に所定画素分だけ上下左右（図１０中の矢印方向）に移動させる制御において、湾曲によって発生する抵抗変化量に連動して制御される画素ズラシ制御を周期的に行う制御において、画素ズラシ量が大きくなるほどその周期を連動して早める制御を行う。すなわち、画素ズラシを多くするにともない、その画素ズラシの周期を呼応させて、その画素ズラシ周期を早めることにより、固定表示を湾曲に応じてより多く画素ズラシ制御することで、固定表示による焼付きを制御するものとする。
【００４７】
この結果、湾曲によって表示部１１０の視認性が低下するため、湾曲時にユーザ側には視認されない表示領域において、その固定画像表示をキャンセルし、湾曲量に応じて、表示部１１０に表示される画像の画素ズラシを制御することで、焼き付きを抑えて表示信頼性を確保することができる。
【００４８】
なお、この表示部１１０における焼き付きが生じ易い固定画像表示の画像の例としては特に限定されるものではないが、例えばある一定のフレーム周波数内で映像信号レベルが不変であるものを対象とすることができる。更には、固定画像表示と判断するための信号レベルが不変の状態（割合）は、表示装置１００への入力などの手法により、ユーザ側で任意に決定できるものとしても良い。
【００４９】
以上のように、本実施形態では、表示装置１００において、湾曲量を変位センサ１０６にて検出して、その湾曲量に連動して画素ずらしを制御し、画像表示による焼付き劣化を抑制する。これにより、湾曲時にユーザ側には視認されにくい表示領域において、その画画像表示をキャンセルし、湾曲量に応じて、表示部１１０の画素ズラシを制御することで、表示信頼性を確保することができる。
【００５０】
［４．変位センサを表裏面に設けた構成例］
図１１は、表示装置１００の断面を示す模式図であって、変位センサを表示装置１００の表裏面に設けた構成例を示している。また、図１２は、図１１に示す表示装置１００が湾曲した状態を示す模式図である。図１２の場合、湾曲部において、表示部１１０が設けられていない裏面側の変位センサ１０６の曲率半径は、表示部１１０が設けられている表面側の変位センサ１０６の曲率半径よりも大きくなる。より詳細には、裏面側の変位センサ１０６の曲率半径は、第１基板１０２及び第２基板１０４の厚さ分だけ大きくなる。このため、表面側の変位センサ１０６の湾曲量は裏面側の変位センサ１０６の湾曲量に比べて大きくなり、より湾曲量の大きい表面側の変位センサ１０６の抵抗変化量は、裏面側の変位センサ１０６の抵抗変化量よりも大きくなる。
【００５１】
従って、図１１に示す構成によれば、表裏面の変位センサ１０６により抵抗変化量を検出した場合に、表裏面の抵抗変化量を比較することで、表裏面の何れか一方が凹面で、他方が凸面であることを検出することができる。そして、表面が凹面となる場合は、表面が凸面となる場合に比べて表示部１１０が外側から隠れてしまい、表示部１１０がより認識されにくくなるため、画素ズラシが目立たなくなり、画素ズラシ量をより大きくする制御が可能となる。一方、表面が凸面となる場合は、画像に湾曲が生じるものの、画像自体は認識できることから、表面が凹面の場合に比べて画素ずらし量を少なくすることで、画素ずらしによる違和感をユーザに与えることを抑止することが可能となる。
【００５２】
また、上述した例では、画素ズラシの方向を上下左右の方向としたが、変位センサ１０６の出力に基づいて表示装置１００の湾曲方向を検知し、湾曲方向に画素ズラシを行うようにしても良い。例えば、図５の場合を例に挙げると、湾曲方向（図５中に矢印で示す）に沿って画素ズラシを行うようにする。これにより、画素ズラシをより目立たなくすることができ、ユーザに画素ズラシが認識されることを確実に抑止できる。
【００５３】
［５．ルックアップテーブルの他の例］
図１３は、ルックアップテーブルの他の例を示す模式図である。図１３に示す例では、表示装置１００が折り曲げられる過程と、折り曲げが元に戻る過程とで、抵抗変化量に対する画素ズラシ量が異なるようにしている。
【００５４】
図１３に示すルックアップテーブルにおいて、表示装置１００が折り曲げられる過程における特性曲線（図１３中に実線で示す）は、図８と同様である。一方、折り曲げが元に戻る過程では、図１３において破線で示す特性曲線とし、抵抗変化量が大きい領域では抵抗変化量に対する画素ズラシ量の変化量をより大きくし、抵抗変化量が小さい領域では抵抗変化量に対する画素ズラシ量の変化量をより小さくする。これにより、折り曲げられた状態から平面に復帰する際に、より早い段階で画素ズラシによる画像を元の状態に戻すことができる。従って、湾曲した表示装置１００が平面に復帰する際に、画素ズラシによる違和感がユーザに与えられてしまうことを確実に抑止できる。
【００５５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５６】
１００    表示装置
１０６    変位センサ
１１０    表示部
１２４    画素ズラシ演算部
１２６    画素ズラシ制御部
【図１】
0005493707.tif 000002
【図２】
0005493707.tif 000003
【図３】
0005493707.tif 000004
【図４】
0005493707.tif 000005
【図５】
0005493707.tif 000006
【図６】
0005493707.tif 000007
【図７】
0005493707.tif 000008
【図８】
0005493707.tif 000009
【図９】
0005493707.tif 000010
【図１０】
0005493707.tif 000011
【図１１】
0005493707.tif 000012
【図１２】
0005493707.tif 000013
【図１３】
0005493707.tif 000014